(57)【特許請求の範囲】
【請求項１】
便器両側の床に支持脚を設置し、該両側の支持脚の上端部分を同便器の上面よりも下方に位置させて該上端部分に枢支部を設け、該枢支部に支持バー材の下端基部を枢着して該支持バー材を前後方向で回動自在に支持し、支持バー材の上端にその略中央下面が固着された肘掛け部材を設置し、前記両側の支持脚間にバー材を架設して該バー材で同両側の支持脚を連結すると共に、同バー材を前記便器の後部上方で横架させてなる着座式便器用肘掛け装置。
【請求項２】
枢支部が便器前後長さの中程位置となるように支持脚を設置して、同枢支部の前方及び後方に支持バー材が回動されるようになし、該支持バー材が前方に回動された使用状態では、支持バー材が前方に傾斜して、肘掛け部材は略水平状態で保持され、支持バー材が後方に回動された納め状態では、支持バー材が後方へ傾斜して肘掛け部材は後側下方に傾斜した状態で保持され、同回動範囲が停止規制されるようになしたことを特徴とする請求項１記載の着座式便器用肘掛け装置。
【請求項３】
バー材を横辺部と両側の縦辺部とでなる正面視略門型に折曲した形状となし、便器の後部上に設置されたロータンクと開状態にある便蓋との間に形成されるスペース内で同バー材の横辺部を横架させたことを特徴とする請求項１又は２記載の着座式便器用肘掛け装置。
【請求項４】
便器の後部上に設置された温水洗浄便座基体に便蓋が枢支され、同温水洗浄便座基体の上方でバー材の横辺部を横架させたことを特徴とする請求項３記載の着座式便器用肘掛け装置。
【請求項５】
バー材の縦辺部を側面視略Ｌ字状に折曲した形状となして該縦辺部の中程部分が、後方に回動された納め状態にある支持バー材と該支持バー材に設置した肘掛け部材とでなる肘掛けアームと重ならないように該肘掛けアームよりも後側に位置するようになしたことを特徴とする請求項３又は４記載の着座式便器用肘掛け装置。
【請求項６】
両側の支持脚に上方へ開口した略筒状の結合部を配設し、該結合部にバー材の縦辺部の下端を挿入嵌合させて、該バー材で同両側の支持脚を連結したことを特徴とする請求項３〜５のいずれか一つに記載の着座式便器用肘掛け装置。
【発明の詳細な説明】
【０００１】
【発明の属する技術分野】
本発明は、着座式の便器両側に配設される着座式便器用肘掛け装置に関するものである。
【０００２】
【従来の技術】
従来から、図８、９に示す如く、着座式の便器１両側に肘掛け20を配設してなる着座式便器用肘掛け装置は知られている。この場合、便器１に座ったり該便器１から立ち上がったりする際に、肘掛け20を持って身体を支えることができ、同座ったり立ち上がったりする動作を補助することができる。それ故、特に、身体の不自由な人や高齢者等にとっては、有用なものとなっている。
【０００３】
又、該着座式便器用肘掛け装置においては、便器１の後部上にロータンク10及び温水洗浄便座基体12が設置され、該温水洗浄便座基体12には便座18及び便蓋11が枢支されている。温水洗浄便座基体12は、該温水洗浄便座基体12から便器１内へと突出されるノズルから温水を噴出させて、肛門洗浄やビデ洗浄を行うものである。温水洗浄便座基体12に枢支される便座18は暖房式便座で、該便座18上に着座した際に臀部が暖められる。
【０００４】
そして、便器１の両側及び後側を囲う支持枠体19の両側に、前記肘掛け20が配設されている。この場合、支持枠体19は平面視略コ字型で、便器１の両側及び後側を囲うよう床２に設置されている。又、支持枠体19の両側上枠の前端部分に枢支部４を介して肘掛け20が回動自在に枢着されており、該肘掛け20を不使用時に邪魔にならないよう上後方に回動させて納めることができる。
【０００５】
【発明が解決しようとする課題】
しかしながら、上記従来の技術においては、肘掛け20が不使用時に邪魔にならないよう上後方に回動された納め状態であっても、該肘掛け20を回動自在に支持する枢支部４は便器１両側で該便器１の上面よりも上方に位置する。それ故、肘掛け20を使用しない人が座ったり立ち上がったりする際に、前記枢支部４下側の支持枠体19が邪魔になる。そして、着座した際には、前記枢支部４下側の支持枠体19が臀部や太股に近接して邪魔になり、窮屈であって座り心地も良くない。
【０００６】
又、支持枠体19は便器１の後側を囲うものであるため、該便器１の後側スペースが狭い施工現場やロータンク10が大きい場合等には、同支持枠体19を設置できないとう不都合が発生する。しかも、肘掛け20は枢支部４から前方へ水平に突出された状態で使用されるものであるため、該肘掛け20に上方から荷重がかかるとモーメントの関係で同枢支部４には過大な負荷が作用し、該枢支部４は相当に強固な材質・構造でないと破損し易いものとなる。
【０００７】
本発明は、上記従来の技術における問題を悉く解決するために発明されたもので、その課題は、狭いスペースでも容易に設置することができ、上方からの荷重を確実に支持することができ、不使用時には着座する人に対して邪魔にならないよう納めることもできる着座式便器用肘掛け装置を提供することである。
【０００８】
【課題を解決するための手段】
本発明の請求項１記載の着座式便器用肘掛け装置は、便器両側の床に支持脚を設置し、該両側の支持脚の上端部分を同便器の上面よりも下方に位置させて該上端部分に枢支部を設け、該枢支部に支持バー材の下端基部を枢着して該支持バー材を前後方向で回動自在に支持し、支持バー材の上端にその略中央下面が固着された肘掛け部材を設置し、前記両側の支持脚間にバー材を架設して該バー材で同両側の支持脚を連結すると共に、同バー材を前記便器の後部上方で横架させてなる。
【０００９】
したがって、この場合、上端部分に支持バー材が枢着される支持脚を便器両側の床に設置し、該両側の支持脚をその間に架設されるバー材で連結することによって、該両側の支持脚を位置決めした状態で容易に設置することができる。しかも、その際、バー材は便器の後部上方で横架されるので、該便器の後側スペースが狭くても支障なく設置することができる。更に、両側の支持脚の上端部分には枢支部が設けられ、該枢支部に支持バー材の下端基部が枢着されて該支持バー材は支持されるので、同支持バー材が上下方向となり上方からの荷重はその下端基部を介し、同枢支部で受けられて確実に支持される。又、枢支部は便器の上面よりも下方に位置して、該枢支部に支持バー材が前後方向で回動自在に支持されるので、不使用時には支持バー材と肘掛け部材とでなる肘掛けアームを後方に回動させて納めることができ、その際、該肘掛けアームと共に同枢支部も着座する人に対しては同便器両側の上方で邪魔になることがない。
【００１０】
本発明の請求項２記載の着座式便器用肘掛け装置は、上記請求項１記載の着座式便器用肘掛け装置において、枢支部が便器前後長さの中程位置となるように支持脚を設置して、同枢支部の前方及び後方に肘掛けアームが回動されるようになし、該支持バー材が前方に回動された使用状態では、支持バー材が前方に傾斜して、肘掛け部材は略水平状態で保持され、支持バー材が後方に回動された納め状態では、支持バー材が後方へ傾斜して肘掛け部材は後側下方に傾斜した状態で保持され、同回動範囲が停止規制されるようになしたことを特徴とする。
【００１１】
したがって、この場合は特に、便器前後長さの中程位置となる枢支部の前方及び後方に支持バー材が回動されるようになっていて、該支持バー材は前方に回動された使用状態と後方に回動された納め状態との間で、同回動範囲が停止規制されるようになっているので、同支持バー材は前方後方へとバランス良くスムーズに回動され、しかも、前方後方の各々で確実に停止される。
【００１２】
本発明の請求項３記載の着座式便器用肘掛け装置は、上記請求項１又は２記載の着座式便器用肘掛け装置において、バー材を横辺部と両側の縦辺部とでなる正面視略門型に折曲した形状となし、便器の後部上に設置されたロータンクと開状態にある便蓋との間に形成されるスペース内で同バー材の横辺部を横架させたことを特徴とする。
【００１３】
したがって、この場合は特に、正面視略門型に折曲した形状となったバー材の横辺部が、ロータンクと開状態にある便蓋との間に形成されるスペース内で横架されるので、通常はデッドスペースとなる該スペースが有効に利用されて、これ等ロータンク及び便蓋に対して邪魔にならないよう、同バー材は便器の後部上方で支障なく横架される。
【００１４】
本発明の請求項４記載の着座式便器用肘掛け装置は、上記請求項３記載の着座式便器用肘掛け装置において、便器の後部上に設置された温水洗浄便座基体に便蓋が枢支され、同温水洗浄便座基体の上方でバー材の横辺部を横架させたことを特徴とする。
【００１５】
したがって、この場合は特に、上記便蓋が温水洗浄便座基体に枢支され、該温水洗浄便座基体の上方で上記バー材の横辺部は横架されるので、温水洗浄便座が施工されていても、同バー材は便器の後部上に設置された同温水洗浄便座基体の上方で支障なく横架される。
【００１６】
本発明の請求項５記載の着座式便器用肘掛け装置は、上記請求項３又は４記載の着座式便器用肘掛け装置において、バー材の縦辺部を側面視略Ｌ字状に折曲した形状となして該縦辺部の中程部分が、後方に回動された納め状態にある支持バー材と該支持バー材に設置した肘掛け部材とでなる肘掛けアームと重ならないように該肘掛けアームよりも後側に位置するようになしたことを特徴とする。
【００１７】
したがって、この場合は特に、上記バー材の縦辺部が側面視略Ｌ字状に折曲した形状となって該縦辺部の中程部分が、後方に回動された納め状態にある肘掛けアームと重ならないように該肘掛けアームよりも後側に位置するようになっているので、同肘掛けアームが後方に回動された際、これと同バー材との間に指を詰めることが回避されて安全である。
【００１８】
本発明の請求項６記載の着座式便器用肘掛け装置は、上記請求項３〜５のいずれか一つに記載の着座式便器用肘掛け装置において、両側の支持脚に上方へ開口した略筒状の結合部を配設し、該結合部にバー材の縦辺部の下端を挿入嵌合させて、該バー材で同両側の支持脚を連結したことを特徴とする。
【００１９】
したがって、この場合は特に、両側の支持脚に上方へ開口した略筒状の結合部が配設され、該結合部に上記バー材の縦辺部の下端を挿入嵌合させて、該バー材で同両側の支持脚を連結することができるので、該連結を伴う施工に際しては組立作業が容易となり、該組立前の分解状態で同両支持脚とバー材とを別々にして持ち運んだりコンパクトに梱包したりすることもできる。
【００２０】
【発明の実施の形態】
図１〜７は、本発明の請求項１〜６全てに対応する一実施形態を示し、該実施形態の着座式便器用肘掛け装置は、便器１両側の床２に支持脚３を設置し、該両側の支持脚３の上端部分を同便器１の上面よりも下方に位置させて該上端部分に枢支部４を設け、該枢支部４に肘掛けアーム５の下端基部６を枢着して該肘掛けアーム５を前後方向で回動自在に支持し、前記両側の支持脚３間にバー材７を架設して該バー材７で同両側の支持脚３を連結すると共に、同バー材７を前記便器１の後部上方で横架させてなる。
【００２１】
該実施形態の着座式便器用肘掛け装置においては、枢支部４が便器１前後長さの中程位置となるように支持脚３を設置して、同枢支部４の前方及び後方に肘掛けアーム５が回動されるようになし、該肘掛けアーム５が前方に回動された使用状態と後方に回動された納め状態との間で、同回動範囲が停止規制されるようになしている。
【００２２】
又、実施形態の着座式便器用肘掛け装置においては、バー材７を横辺部８と両側の縦辺部９とでなる正面視略門型に折曲した形状となし、便器１の後部上に設置されたロータンク10と開状態にある便蓋11との間に形成されるスペースＳ内で同バー材７の横辺部８を横架させている。この場合、便器１の後部上に設置された温水洗浄便座基体12に便蓋11が枢支され、同温水洗浄便座基体12の上方でバー材７の横辺部８を横架させている。
【００２３】
又、上記バー材７の縦辺部９を側面視略Ｌ字状に折曲した形状となして該縦辺部９の中程部分が、後方に回動された納め状態にある肘掛けアーム５と重ならないように該肘掛けアーム５よりも後側に位置するようになしている。又、両側の支持脚３に上方へ開口した略筒状の結合部13を配設し、該結合部13に上記バー材７の縦辺部９の下端を挿入嵌合させて、該バー材７で同両側の支持脚３を連結している。
【００２４】
支持脚３は水平部材14と垂直部材15とでなり、上下逆の側面視略Ｔ字状に形成されている。垂直部材15は水平部材14の略中央に立設一体化されており、ここでは、水平部材14が金属製のパイプで形成され、垂直部材15が金属製の板材で形成されて、両者は溶接により結合一体化されている。そして、水平部材14が床２にビスや金具等でネジ止めされることで、支持脚３は同床２に設置固定される。支持脚３の垂直部材15の上端部分には枢支部４が設けられており、該枢支部４に肘掛けアーム５の下端基部６が回動自在に枢支結合されている。
【００２５】
この場合、図１に示す如く、床２から便器１の上面までの高さ寸法ｈが 370mmであり、枢支部４の高さは同床２から 200〜300mm 程度に設定される。又、肘掛けアーム５は、金属製のパイプで形成された支持バー材16と、該支持バー材16の上端にその略中央下面が固着された木製の肘掛け部材17とでなる。図５に示す如く、肘掛けアーム５の回動範囲となる全回動角度αは50度（90度以下）に規制されており、該肘掛けアーム５の支持バー材16が枢支部４より前方へ回動する前回動角度α１は30度となり、同支持バー材16が枢支部４より後方へ回動する後回動角度α２は20度となるように、前後各々で自重によるモーメント力が作用して停止される。
【００２６】
又、肘掛けアーム５がフリーに回動し過ぎず緩やかに回動されるように、前記枢支部４では適度の摩擦抵抗が付与される。そして、肘掛けアーム５が前方に回動された使用状態では、支持バー材16が前方へ30度傾斜して、該支持バー材16の上端の肘掛け部材17は略水平状態で保持され、その際、床２から同肘掛け部材17の上面までの高さ寸法Ｈが 630mmとなる。逆に、肘掛けアーム５が後方に回動された納め状態では、支持バー材16が後方へ20度傾斜して、該支持バー材16の上端の肘掛け部材17は後側下方へ50度傾斜した状態で保持され、その際、同肘掛け部材17の前端が枢支部４よりも若干後方に位置する。
【００２７】
図１〜３に示す如く、便器１の後部上にはロータンク10及び温水洗浄便座基体12が設置されており、該温水洗浄便座基体12に便座18及び便蓋11が枢支されている。温水洗浄便座基体12は、該温水洗浄便座基体12から便器１内へと突出されるノズルから温水を噴出させて、肛門洗浄やビデ洗浄を行うものである。温水洗浄便座基体12に枢支される便座18は暖房式便座で、該便座18上に着座した際に臀部が暖められる。又、便蓋11が後方に回動されて開状態となると、該便蓋11とロータンク10との間には温水洗浄便座基体12の上方で側面視略三角形状のスペースＳが形成され、該スペースＳ内でバー材７の横辺部８は横架されるように位置設定される。
【００２８】
バー材７は金属製のパイプを折曲加工して一体に形成され、全体が正面視略門型で、両側の縦辺部９は側面視略Ｌ字状に折曲した形状となっている。これにより、図５に示す如く、バー材７の横辺部８が枢支部４よりも後方へずれた位置となって（結合部13から後方への位置ずれ寸法Ｌは 140〜150mm 程度となる）、同横辺部８は前記スペースＳ内で横架されるように位置設定される。しかも、バー材７の折曲した縦辺部９の中程部分が、後方に回動された納め状態になる肘掛けアーム５の支持バー材16と重ならないよう、該支持バー材16よりも後側に位置することになる。
【００２９】
又、縦辺部９の前端部分は下方へ折曲垂下されていて、該縦辺部９の下方へ折曲垂下した下端が支持脚３の結合部13に嵌合される。この場合、結合部13は金属製のパイプで形成されて上方へ開口しており、上記両側の支持脚３の垂直部材15の内面に溶接されて配設固定されている。そして、施工現場において、バー材７の両縦辺部９の下端を結合部13に上方から挿入嵌合し、必要に応じビス等でネジ止め固定することにより、同バー材７で両側の支持脚３を容易に連結することができ、又、同挿入嵌合された両縦辺部９の下端を同結合部13から抜き外すことによって、容易に分解することもできる。
【００３０】
したがって、該実施形態の着座式便器用肘掛け装置においては、上端部分に肘掛けアーム５が枢着される支持脚３を便器１両側の床２に設置して、該両側の支持脚３をその間に架設されるバー材７で連結することにより、該両側の支持脚３を適切な位置に位置決めした状態で容易に設置することができる。しかも、その際、バー材７は便器１の後部上方で横架されるので、該便器１の後側スペースが狭くても支障なく設置することができ、又、ロータンク10が大型であったり、該ロータンク10へとその後側の壁から給水配管される場合であっても、支障なく設置することができる。
【００３１】
更に、両側の支持脚３の上端部分には枢支部４が設けられ、該枢支部４に肘掛けアーム５の下端基部６が枢着されて該肘掛けアーム５は支持されるので、同肘掛けアーム５の支持バー材16が傾斜してはいるものの上下方向となり、上方からの荷重がその下端基部６を介し、同枢支部４で受けられて確実に支持される。それ故、便器１に座ったり該便器１から立ち上がったりする際に、肘掛けアーム５の肘掛け部材17を持って身体を確実に支えることができ、同座ったり立ち上がったりする動作を補助することができて、特に、身体の不自由な人や高齢者等には有用なものとなる。
【００３２】
又、枢支部４は便器１の上面よりも下方に位置して、該枢支部４に肘掛けアーム５が前後方向で回動自在に支持されるので、不使用時には同肘掛けアーム５を後方に回動させて納めることができる。しかも、その際、肘掛けアーム５だけでなく該肘掛けアーム５を支持する枢支部４も、着座する人に対しては便器１両側の上方で邪魔になることがない。すなわち、肘掛けアーム５を使用しない人が座ったり立ち上がったりする際には、後方に回動された肘掛けアーム５や便器１の上面よりも下方に位置する枢支部４や支持脚３等が邪魔にならない。そして、着座した際には、前記肘掛けアーム５や枢支部４や支持脚３等が臀部や太股に近接することはなく足元でも邪魔にならず、楽に座れて座り心地が良好となる。
【００３３】
又、該実施形態の着座式便器用肘掛け装置においては、便器１の前後長さの中程位置となる枢支部４の前方及び後方に肘掛けアーム５が回動されるようになっていて、該肘掛けアーム５は前方に回動された使用状態と後方に回動された納め状態との間で、同回動範囲が停止規制されるようになっているので、同肘掛けアーム５は前方及び後方へとバランス良くスムーズに回動され、しかも、前方及び後方の各々で同肘掛けアーム５の自重によるモーメント力が作用して確実に安定した状態で停止される。
【００３４】
又、該実施形態の着座式便器用肘掛け装置においては、正面視略門型に折曲した形状となったバー材７の横辺部８が、ロータンク10と開状態にある便蓋11との間に形成されるスペースＳ内で横架されるので、通常はデッドスペースとなる該スペースＳが有効に利用されて、これ等ロータンク10及び便蓋11に対して邪魔にならないよう、同バー材７は便器１の後部上方で支障なく横架される。更に、この場合、便蓋11が温水洗浄便座基体12に枢支され、該温水洗浄便座基体12の上方でバー材７の横辺部８は横架されるので、温水洗浄便座が施工されていても、同バー材７は便器１の後部上に設置された同温水洗浄便座基体12の上方で支障なく横架される。
【００３５】
又、該実施形態の着座式便器用肘掛け装置においては、上記バー材７の縦辺部９が側面視略Ｌ字状に折曲した形状となって該縦辺部９の中程部分が、後方に回動された納め状態にある肘掛けアーム５と重ならないように該肘掛けアーム５よりも後側に位置するようになっているので、同肘掛けアーム５が後方に回動された際、これと同バー材７との間に指を詰めることが回避されて安全である。しかも、両側の支持脚３に上方へ開口した略筒状の結合部13が配設され、該結合部13に上記バー材７の縦辺部９の下端を挿入嵌合させて、該バー材７で同両側の支持脚３を連結することができるので、該連結を伴う施工に際しては組立作業が容易となり、該組立前の分解状態で同両支持脚３とバー材７とを別々にして持ち運んだりコンパクトに梱包したりすることもできる。
【００３６】
【発明の効果】
上述の如く、本発明の請求項１記載の着座式便器用肘掛け装置においては、便器の後側スペースが狭くても、両側の支持脚を位置決めした状態で支障なく容易に設置することができ、しかも、上方からの荷重は支持バー材の下端基部を介し枢支部で受けられて確実に支持され、又、不使用時には支持バー材と肘掛け部材とでなる肘掛けアームを後方に回動させて納めることができ、その際、同肘掛けアームと共に前記便器の上面よりも下方に位置する枢支部も着座する人に対しては邪魔になることがない。
【００３７】
又、本発明の請求項２記載の着座式便器用肘掛け装置においては、特に、枢支部の前方及び後方に支持バー材が回動され、該支持バー材は前方に回動された使用状態と後方に回動された納め状態との間の回動範囲で停止規制されて、同支持バー材は前方後方へとバランス良くスムーズに回動され、しかも、前方後方の各々で確実に停止される。
【００３８】
又、本発明の請求項３記載の着座式便器用肘掛け装置においては、特に、バー材の横辺部がロータンクと開状態にある便蓋との間に形成されるスペース内で横架され、通常はデッドスペースとなる該スペースが有効に利用されて、これ等ロータンク及び便蓋に対して邪魔にならないよう、同バー材は便器の後部上方で支障なく横架される。
【００３９】
又、本発明の請求項４記載の着座式便器用肘掛け装置においては、特に、上記便蓋が温水洗浄便座基体に枢支され、該温水洗浄便座基体の上方で上記バー材の横辺部は横架されて、温水洗浄便座が施工されていても、同バー材は便器の後部上に設置された同温水洗浄便座基体の上方で支障なく横架される。
【００４０】
又、本発明の請求項５記載の着座式便器用肘掛け装置においては、特に、上記バー材の縦辺部の中程部分が納め状態にある支持バー材と該支持バー材に設置した肘掛け部材とでなる肘掛けアームと重ならないようになっていて、該肘掛けアームが後方に回動された際、これと同バー材との間に指を詰めることが回避されて安全である。
【００４１】
又、本発明の請求項６記載の着座式便器用肘掛け装置においては、特に、結合部に上記バー材の縦辺部の下端を挿入嵌合させて、該バー材で両側の支持脚を連結することができ、該連結を伴う施工に際しては組立作業が容易となり、該組立前の分解状態で同両支持脚とバー材とを別々にして持ち運んだりコンパクトに梱包したりすることもできる。
【図面の簡単な説明】
【図１】本発明の一実施形態である着座式便器用肘掛け装置全体の施工状態を示す側面図。
【図２】同着座式便器用肘掛け装置全体の施工状態を示す平面図。
【図３】同着座式便器用肘掛け装置全体の施工状態を示す正面図。
【図４】同着座式便器用肘掛け装置を示す斜視図。
【図５】同着座式便器用肘掛け装置を示す側面図。
【図６】同着座式便器用肘掛け装置を示す平面図。
【図７】同着座式便器用肘掛け装置を示す正面図。
【図８】従来例である着座式便器用肘掛け装置全体の施工状態を示す側面図。
【図９】同着座式便器用肘掛け装置全体の施工状態を示す平面図。
【符号の説明】
１  便器
２  床
３  支持脚
４  枢支部
５  肘掛けアーム
６  下端基部
７  バー材
８  横辺部
９  縦辺部
10  ロータンク
11  便蓋
12  温水洗浄便座基体
13  結合部
Ｓ  スペース
【図１】
0003852547.tif 000002
【図２】
0003852547.tif 000003
【図３】
0003852547.tif 000004
【図４】
0003852547.tif 000005
【図５】
0003852547.tif 000006
【図６】
0003852547.tif 000007
【図７】
0003852547.tif 000008
【図８】
0003852547.tif 000009
【図９】
0003852547.tif 000010